(57)【特許請求の範囲】
【請求項１】
台間玉貸機に内蔵され、前記台間玉貸機の前面に露出して情報記憶カードが挿入されるカード挿入口と、前記台間玉貸機内へのカード排出を行うための装置内カード排出口と、前記カード挿入口と前記装置内カード排出口との間に設けられ情報記憶カードを読み書きする読み書き部と、前記読み書き部と前記装置内カード排出口との間に設けられ一枚分の前記情報記憶カードを一時保留する保留部と、前記カード挿入口と前記読み書き部との間、前記読み書き部と前記保留部との間、および、前記保留部と前記装置内カード排出口との間で、前記情報記憶カードを移送する移送手段とを備える情報記憶カードの読み書き処理装置を用いて、
前記読み書き部が情報の読み出しを行った情報記憶カードの未使用残額がゼロであると、当該情報記憶カードを前記移送手段が移送して前記保留部が一時保留する処理と、
前記保留部への移送にあたり、既に前記保留部に一時保留されている情報記憶カードがあれば、当該情報記憶カードを前記装置内カード排出口から排出する処理と、
前記カード挿入口への新カード挿入待機状態で前記台間玉貸機への貨幣投入があると、前記保留部に前記情報記憶カードが無ければ当該情報記憶カードが無い状態についての表示を行い、前記保留部が前記情報記憶カードを一時保留していれば当該情報記憶カードを前記移送手段が前記読み書き部へ移送する処理と、
前記保留部から移送された前記情報記憶カードに前記読み書き部が貨幣投入額に関する情報を書き込んで、当該情報記憶カードを新カードとして取り扱う処理と
を含むことを特徴とする情報記憶カードの処理方法。
【請求項２】
台間玉貸機に内蔵される情報記憶カードの読み書き処理装置であって、
前記台間玉貸機の前面に露出して情報記憶カードが挿入されるカード挿入口と、
前記台間玉貸機内へのカード排出を行うための装置内カード排出口と、
前記カード挿入口と前記装置内カード排出口との間に設けられ情報記憶カードを読み書きする読み書き部と、
前記読み書き部と前記装置内カード排出口との間に設けられ一枚分の前記情報記憶カードを一時保留する保留部と、
前記カード挿入口と前記読み書き部との間、前記読み書き部と前記保留部との間、および、前記保留部と前記装置内カード排出口との間で、前記情報記憶カードを移送する移送手段とを備え、
前記読み書き部が情報の読み出しを行った情報記憶カードの未使用残額がゼロであると、当該情報記憶カードを前記移送手段が移送して前記保留部が一時保留するとともに、既に前記保留部に一時保留されている情報記憶カードがあれば当該情報記憶カードを前記装置内カード排出口から排出し、
前記カード挿入口への新カード挿入待機状態で前記台間玉貸機への貨幣投入があると、前記保留部に前記情報記憶カードが無ければ当該情報記憶カードが無い状態についての表示を行い、前記保留部が前記情報記憶カードを一時保留していれば当該情報記憶カードを前記移送手段が前記読み書き部へ移送して前記読み書き部が貨幣投入額に関する情報を書き込むことにより、当該情報記憶カードを新カードとして取り扱うように構成されている
ことを特徴とする情報記憶カードの読み書き処理装置。
【発明の詳細な説明】
【０００１】
【発明の属する技術分野】
本発明は、遊戯機等に使用される媒体の数を記憶させた情報記憶カードの処理方法及びその読み書き処理装置に関する。
【０００２】
【従来の技術】
例えばパチンコやスロットマシン等の遊戯機は、玉やメダル等の遊技媒体を使用して遊技が行われる。この遊技媒体は、プリペイドカードシステムにより所定数が書き込まれたプリペイドカードとして購入することができる。従来このプリペイドカードには、一般的に磁気カードが使用されている。遊技機の間には所謂サンドと称せられる台間玉貸機が設置され、この台間玉貸機はプリペイドカードに書き込まれた媒体数を読む、読み込み部を有している。
【０００３】
プリペイドカードを利用して遊戯機で遊技する場合、予めカード発行機で所望の遊技媒体数の書き込まれたプリペイドカードを購入する。そして、このプリペイドカードを遊技機に隣接する台間玉貸機のカード挿入口に挿入する。台間玉貸機は、プリペイドカードに書き込まれた遊技媒体数を読み込み部にて読み、同数の遊技媒体の貸出しを可能にする。台間玉貸機は、書き込まれた遊技媒体数分の貸出しが完了したなら、プリペイドカードを残額ゼロの使用不能カードとして返却若しくは回収していた。
【０００４】
【発明が解決しようとする課題】
しかしながら、上述した従来のプリペイドカードシステムは、一般的にプリペイドカードの発行機が遊技機と別体で離れた場所に設置されているため、プリペイドカードに書き込まれた遊技媒体数分の貸出しが完了すると、利用者が遊技を中断して発行機の設置場所まで行ってプリペイドカードを購入しなければならない煩雑さがあった。
また、残額ゼロとなったプリペイドカードは、使用不能カードとなり、遊技場の店員によって集められていたため、回収に労力を要した。
更に、回収したプリペイドカードは廃棄処理が必要であり、産業廃棄物として処理されていた。
本発明は上記状況に鑑みてなされたもので、遊戯機と同一場所で情報記憶カードが発行できるとともに、使用済みとなった残額ゼロの情報記憶カードが再使用でき、しかも、不要となった既存カードは装置内に回収することのできる情報記憶カードの処理方法及びその読み書き処理装置を提供することを目的とする。
【０００５】
【課題を解決するための手段】
上記目的を達成するための本発明に係る情報記憶カードの処理方法は、台間玉貸機に内蔵され、前記台間玉貸機の前面に露出して情報記憶カードが挿入されるカード挿入口と、前記台間玉貸機内へのカード排出を行うための装置内カード排出口と、前記カード挿入口と前記装置内カード排出口との間に設けられ情報記憶カードを読み書きする読み書き部と、前記読み書き部と前記装置内カード排出口との間に設けられ一枚分の前記情報記憶カードを一時保留する保留部と、前記カード挿入口と前記読み書き部との間、前記読み書き部と前記保留部との間、および、前記保留部と前記装置内カード排出口との間で、前記情報記憶カードを移送する移送手段とを備える情報記憶カードの読み書き処理装置を用いて、前記読み書き部が情報の読み出しを行った情報記憶カードの未使用残額がゼロであると、当該情報記憶カードを前記移送手段が移送して前記保留部が一時保留する処理と、前記保留部への移送にあたり、既に前記保留部に一時保留されている情報記憶カードがあれば、当該情報記憶カードを前記装置内カード排出口から排出する処理と、前記カード挿入口への新カード挿入待機状態で前記台間玉貸機への貨幣投入があると、前記保留部に前記情報記憶カードが無ければ当該情報記憶カードが無い状態についての表示を行い、前記保留部が前記情報記憶カードを一時保留していれば当該情報記憶カードを前記移送手段が前記読み書き部へ移送する処理と、前記保留部から移送された前記情報記憶カードに前記読み書き部が貨幣投入額に関する情報を書き込んで、当該情報記憶カードを新カードとして取り扱う処理とを含むことを特徴とする。
【０００６】
この情報記憶カードの処理方法では、保留部に移送された残額ゼロの情報記憶カードが再び読み書き部に移送され、残額が書き込まれることにより、残額ゼロの情報記憶カードが新カードとして取扱可能になる。これにより、遊戯機と同一場所での情報記憶カードの発行が可能になる。また、使用済みとなった残額ゼロの情報記憶カードの再使用が可能になる。更に、新カードが挿入された場合の既存カードの回収が可能になる。
【０００７】
本発明に係る情報記憶カードの処理装置は、台間玉貸機に内蔵される情報記憶カードの読み書き処理装置であって、前記台間玉貸機の前面に露出して情報記憶カードが挿入されるカード挿入口と、前記台間玉貸機内へのカード排出を行うための装置内カード排出口と、前記カード挿入口と前記装置内カード排出口との間に設けられ情報記憶カードを読み書きする読み書き部と、前記読み書き部と前記装置内カード排出口との間に設けられ一枚分の前記情報記憶カードを一時保留する保留部と、前記カード挿入口と前記読み書き部との間、前記読み書き部と前記保留部との間、および、前記保留部と前記装置内カード排出口との間で、前記情報記憶カードを移送する移送手段とを備え、前記読み書き部が情報の読み出しを行った情報記憶カードの未使用残額がゼロであると、当該情報記憶カードを前記移送手段が移送して前記保留部が一時保留するとともに、既に前記保留部に一時保留されている情報記憶カードがあれば当該情報記憶カードを前記装置内カード排出口から排出し、前記カード挿入口への新カード挿入待機状態で前記台間玉貸機への貨幣投入があると、前記保留部に前記情報記憶カードが無ければ当該情報記憶カードが無い状態についての表示を行い、前記保留部が前記情報記憶カードを一時保留していれば当該情報記憶カードを前記移送手段が前記読み書き部へ移送して前記読み書き部が貨幣投入額に関する情報を書き込むことにより、当該情報記憶カードを新カードとして取り扱うように構成されていることを特徴とする。
【０００８】
この情報記憶カードの処理装置では、残額ゼロの情報記憶カードを一時保留部に保留しておき、その後の処理内容に応じて、この残額ゼロの情報記憶カードを再び読み書き部へ戻すことも、或いは装置内カード排出口から装置内に取り込むこともできる。これにより、情報記憶カードの発行、再使用、回収が実現可能になる。
【０００９】
【発明の実施の形態】
以下、本発明に係る情報記憶カードの処理方法及びその読み書き処理装置の好適な実施の形態を図面を参照して詳細に説明する。
図１は本発明に係る処理方法の手順を示すフローチャート、図２は本発明に係る処理装置が組み込まれた台間玉貸機の正面図、図３は本発明に係る処理装置の斜視図、図４は図３に示した処理装置の平面図、図５はカード移送動作の例を示す説明図、図６〜図９は個々の移送動作の手順を示すフローチャートである。
【００１０】
図２に示す台間玉貸機１は、不図示の例えばパチンコ遊技機の側方に設置されている。台間玉貸機１の前面には、貨幣投入口３、玉をパチンコ遊技機に導く玉払出ノズル５、各種のランプ７、表示器９、及び操作ボタン１１等が設けられている。本実施形態の情報記憶カードの読み書き処理装置１３は、この台間玉貸機１の下部に内蔵され、カード挿入口１５が前面に露出されている。
【００１１】
なお、本実施形態で説明する処理装置１３は、情報記憶カードとして、カードの内部にＩＣチップが埋め込まれたＩＣカードを用いる場合を例に説明するが、本発明に係る処理装置は、情報記憶カードとして、磁気カードが用いられるものであってもよい。
【００１２】
図３、図４に示すように、処理装置１３は、前面にカード挿入口１５が形成され、装置内部に配置される後面に装置内カード排出口１７が形成されている。カード挿入口１５と排出口１７との間には読み書き部（Ｒ／Ｗ部）１９が設けられ読み書き部１９は情報記憶カード（カード）２１を非接触で読み書き可能としている。読み書き部１９と排出口１７との間には保留部２３が設けられ、保留部２３は一枚分のカード２１が保留可能な空間を有している。
【００１３】
読み書き部１９には移送手段である駆動ローラ２５が設けられ、駆動ローラ２５はモータ２５ａによって回転駆動される。駆動ローラ２５は、対向配置されたピンチローラ２７とによりカード２１を挟持してカード２１を図４の左右方向に移送可能にしている。また、保留部２３には移送手段である駆動ベルト２９が設けられ、駆動ベルト２９はモータ２９ａによって周回駆動される。駆動ベルト２９は、対向配置されたピンチローラ３１とによりカード２１を挟持してカード２１を図４の左右方向に移送可能にしている。
【００１４】
駆動ローラ２５は、カード挿入口１５から挿入されたカード２１を読み書き部１９に移送する。また、読み書き部１９のカード２１をカード挿入口１５から装置外へ排出又は保留部２３に移送する。また、駆動ベルト２９は、保留部２３のカード２１を読み書き部１９に移送又は排出口１７に移送する。
【００１５】
カード挿入口１５と読み書き部１９との間には、カード挿入口１５側から挿入センサ３３、カードサイズセンサ３５ａ、３５ｂが順次並設されている。読み書き部１９と保留部２３との間には、読み書き部１９側からＲ／Ｗ位置センサ３７、保留位置センサ３９が順次並設されている。また、保留部２３と排出口１７との間には、保留部２３側から保留有無センサ４１、排出センサ４３が順次並設されている。これらの各センサ３３、３５ａ、３５ｂ、３７、３９、４１、４３により検出されたカード有無の検出信号は、駆動ローラ２５或いは駆動ベルト２９の駆動制御用の信号として用いられる。
【００１６】
ここで、カード２１の移送を個々の動作に分けて説明する。
カード２１を移送する動作は、図５に示すＡ〜Ｆのパターンに分けることができる。即ち、図５（Ａ）は、カード挿入口１５に挿入されたカード２１が読み書き部１９に移送される状態を示す。図５（Ｂ）は、読み書き部１９のカード２１が保留部２３に移送される状態を示す。図５（Ｃ）は、保留部２３のカード２１が読み書き部１９に移送される状態を示す。図５（Ｄ）は、読み書き部１９のカード２１が読み書き中の状態を示す。図５（Ｅ）は、読み書き部１９のカード２１がカード挿入口１５から排出される状態を示す。図５（Ｆ）は、保留部２３のカード２１が排出口１７から排出される状態を示す。
【００１７】
これら個々のカード移送動作は、以下の手順によって行われる。
例えば処理装置１３の前面からカード２１を挿入し、読み書き後、前面に排出する動作は、図５（Ａ）→図５（Ｄ）→図５（Ｅ）の流れとなる。この動作を行う手順は、図６に示すように、カード２１を挿入し（ｓｔ１）、挿入センサ３３がそれを検出すれば（ｓｔ３）、駆動ローラ２５を駆動開始する（ｓｔ５）。Ｒ／Ｗ位置センサ３７がカード２１を検出（ｓｔ７）したなら、駆動ローラ２５を停止する（ｓｔ９）。
【００１８】
この時、カードサイズセンサ３５ａ、３５ｂの検出値によりＮＧ又はＯＫを判定し（ｓｔ１１）、ＮＧであればエラー処理を行う（ｓｔ１３）。カード２１のサイズがＯＫの場合には、カード２１の読み書きを行った（ｓｔ１５）後、駆動ローラ２５を逆転開始する（ｓｔ１７）。これにより、カード２１はカード挿入口１５から排出され、カードサイズセンサ３５ａがカード２１の通過を検出（ｓｔ１９）したならモータ２５ａを停止（ｓｔ２１）して動作を終了する（ｓｔ２３）。
【００１９】
読み書き部１９のカード２１を保留部２３へ移送する動作は、図５（Ｂ）となる。この動作を行う手順は、図７に示すように、モータ２５ａ、モータ２９ａを正転始動する（ｓｔ３１）。カード２１の通過を保留位置センサ３９が検出（ｓｔ３３）したなら、モータ２５ａ、モータ２９ａを停止（ｓｔ３５）して動作を終了する（ｓｔ３７）。
【００２０】
保留部２３のカード２１を読み書き部１９へ移送する動作は、図５（Ｃ）となる。この動作を行う手順は、図８に示すように、モータ２５ａ、モータ２９ａを逆転始動する（ｓｔ４１）。カード２１の通過をＲ／Ｗ位置センサ３７が検出（ｓｔ４３）したなら、モータ２５ａ、モータ２９ａを停止（ｓｔ４５）して動作を終了する（ｓｔ４７）。
【００２１】
保留部２３のカード２１を排出口１７から排出する動作は、図５（Ｆ）となる。この動作を行う手順は、図９に示すように、モータ２９ａを正転始動する（ｓｔ５１）。カード２１の通過を排出センサ４３が検出（ｓｔ５３）したなら、モータ２９ａを停止（ｓｔ５５）して動作を終了する（ｓｔ５７）。
【００２２】
次に、各部がこのように動作する処理装置１３を用いてのカード処理方法の手順を図１に基づき説明する。
別途設置のカード発行機で発行されたカード２１が処理装置１３のカード挿入口１５に挿入（ｓｔ６１）されると、カード２１を読み書き部１９への移送の後、読み書き部１９で情報の読み出し及び遊技機の利用に伴う情報の書き換え（ｓｔ６３）が行われる。
【００２３】
次いで、未使用残額が有るか否かが判断（ｓｔ６５）され、未使用残額が有る状態で玉の貸出しを終了する時、即ち、カード返却の時（ｓｔ６７）は、カード２１が読み書き部１９からカード挿入口１５へ排出（ｓｔ６９）される。これにより、処理装置１３は、後述の貨幣投入待機状態及び新カード挿入待機状態となる。
【００２４】
一方、未使用残額がゼロになったなら読み書き部１９のカード２１が保留部２３へ移送され（ｓｔ７５）、この保留部２３でカード発行のために保留される。この時、保留部２３に既にカード２１が保留されているか否かが判断され（ｓｔ７１）、保留されている時には先に保留されている既存カード２１を排出口１７から排出する（ｓｔ７３）。
【００２５】
この状態で、処理装置１３は、貨幣投入待機状態及び新カード挿入待機状態となる。
台間玉貸機１にてカード２１を購入し、その場で玉の貸出しに使用する場合には、貨幣を貨幣投入口３に投入し、操作ボタン１１を押下することによりカード購入操作を行う。処理装置１３は、貨幣の投入が判断（ｓｔ７７）されると、保留部２３のカード２１を読み書き部１９に移送（ｓｔ７９）し、再び、読み書き部１９で購入金額の情報をカード２１に書き込む処理（ｓｔ６３）へ戻る。これにより、台間玉貸機１は、玉の貸出しが可能になり、玉貸出し操作により玉を貸し出す。これと同時に処理装置１３は、貸出し金額を減算した情報を、カード２１に書き込む（ｓｔ６３）。
【００２６】
この時、カード２１は読み書き部１９に存在するので、玉の貸出しはカード２１に残額がある限り連続して可能となる。
【００２７】
カード２１を使い切ると、上述同様のｓｔ７１以降の処理がなされる。即ち、保留部２３にカード２１が保留されているか否かが判断され（ｓｔ７１）、保留されている時には先に保留されている既存カード２１を排出口１７から排出し（ｓｔ７３）、次のカード発行に備えられる。なお、残金が残っている時には、カード２１の利用が中止されると、上述同様にカード２１が読み書き部１９からカード挿入口１５へ排出（ｓｔ６９）される。このカード２１は、再度この台間玉貸機１に挿入、或いは他の台間玉貸機１に挿入して利用が可能になる。
【００２８】
また、保留部２３にカード２１が保留された状態で、処理装置１３が貨幣投入待機状態及び新カード挿入待機状態となり、ここで新カード２１が挿入（ｓｔ８１）されると、処理装置１３は、既存カード２１を保留部２３に保留したまま、新カード２１を読み書き部１９に取り込み（ｓｔ８３）、以下、上述同様のｓｔ６３以降の処理がなされる。
【００２９】
このように、上述の処理方法によれば、保留部２３に移送された残額ゼロのカード２１が再び読み書き部１９に移送され、残額が書き込まれることにより、残額ゼロのカード２１が新カードとして取扱可能になる。これにより、遊戯機と同一場所でのカード２１の発行が可能になる。また、使用済みとなった残額ゼロのカード２１の再使用が可能になる。更に、新カードが挿入された場合の既存カードの回収も可能になる。
【００３０】
また、上述の処理装置１３によれば、残額ゼロのカード２１を一時保留部２３に保留しておき、その後の処理内容に応じて、この残額ゼロのカード２１を再び読み書き部１９へ戻すことも、或いは装置内カード排出口１７から装置内に取り込むこともできる。これにより、カード２１の発行、再使用、回収が実現可能になる。
【００３１】
なお、処理装置１３では、新カードの発行が二回続く場合が想定され、この場合には二回目のカードが発行されない。二回目のカード発行を可能にするには、例えば保留部２３にカード２１が無い状態をランプ７或いは表示器９に表示させておく。これにより、店員が未使用残額ゼロのカード２１をカード挿入口１５に挿入すれば、ｓｔ６５、ｓｔ７１、ｓｔ７５の処理を経てカード２１が保留部２３へ保留され、処理装置１３は、新カード発行可能状態となる。
【００３２】
また、上述の実施形態では、排出口１７から排出したカード２１を装置内に回収することを例に説明したが、本発明に係る処理装置は、排出口１７に、複数のカード２１が収容可能なストッカー等を接続し、このストッカーに、カード２１を保留部２３へ移送する移送手段を設けてもよい。このような機構を追加すれば、保留部２３にカード２１が無くなった場合、ストッカーから残額ゼロのカード２１を保留部２３へ供給できるようになり、新カードを複数回連続して発行することができるようになる。
【００３３】
【発明の効果】
以上詳細に説明したように、本発明に係る情報記憶カードの処理方法によれば、残額ゼロの情報記憶カードを新カードとして扱うことができる。この結果、遊戯機と同一の場所で情報記憶カードを発行することができる。また、この際、使用済みとなった残額ゼロの情報記憶カードを再使用することができる。更に、新カードが挿入された場合には、既存カードを装置内に回収することができる。
【００３４】
本発明に係る読み書き処理装置によれば、保留部及び装置内カード排出口の間で情報記憶カードを移送する移送手段を設けたので、残額ゼロの情報記憶カードを一時保留部に保留しておき、その後の処理内容に応じて、この残額ゼロの情報記憶カードを再び読み書き部へ戻すことも、或いは装置内カード排出口から装置内に取り込むこともできる。この結果、情報記憶カードの発行、再使用、回収を実現させることができる。
【図面の簡単な説明】
【図１】本発明に係る処理方法の手順を示すフローチャートである。
【図２】本発明に係る処理装置が組み込まれた台間玉貸機の正面図である。
【図３】本発明に係る処理装置の斜視図である。
【図４】図３に示した処理装置の平面図である。
【図５】カード移送動作の例を示す説明図である。
【図６】前面からカードを挿入し読み書き後に前面へカードを排出する動作の手順を示すフローチャートである。
【図７】読み書き部のカードを保留部へ移送する動作の手順を示すフローチャートである。
【図８】保留部のカードを読み書き部へ移送する動作の手順を示すフローチャートである。
【図９】保留部のカードを排出口から排出する動作の手順を示すフローチャートである。
【符号の説明】
１３…情報記憶カードの読み書き処理装置、１５…カード挿入口、１７…装置内カード排出口、１９…読み書き部、２１…情報記憶カード、２３…保留部、２５，２９…移送手段、３３，３５ａ，３５ｂ，３７，３９，４１，４３…センサ
【図１】
0004326623.tif 000002
【図２】
0004326623.tif 000003
【図３】
0004326623.tif 000004
【図４】
0004326623.tif 000005
【図５】
0004326623.tif 000006
【図６】
0004326623.tif 000007
【図７】
0004326623.tif 000008
【図８】
0004326623.tif 000009
【図９】
0004326623.tif 000010